(57)【要約】  本発明は、赤ちゃん用のオムツ（１０１）又は失禁ガード（２０１）のような、吸収性の製品（１０１；２０１）に関し、この吸収性の製品の液体透過性のカバーシート（１０２；２０２）の身体の方に向かう後部は、便のための収容領域（１３５；２３５）を備えている。さらに、この製品は、収容領域（１３５；２３５）の外側に配置された拭き取り領域（１３１；２３１）を備え、この拭き取り領域（１３１；２３１）は、便で汚れた使用者から便を拭き取るように意図された拭き取り材を備える、分離された材料部分を備えることを特徴としている。
2007536984.tif 000002
【特許請求の範囲】
【請求項１】
赤ちゃん用オムツ（１０１）又は失禁ガード（２０１）のような吸収性の製品であって、
使用中は、使用者の方に向くようにされた、液体透過性のカバーシート（１０２，２０２）と、
使用中は、使用者から離れる方に向くようにされた裏当てシート（１０４，２０４）と、
前記液体透過性のカバーシート（１０２，２０２）と前記裏当てシート（１０４，２０４）との間に配置された吸収体（１０６，２０６）と、
後部横方向端辺（１１５，２１５）と、
前部横方向端辺（１１４，２１４）と、
を備え、
前記後部横方向端辺（１１５，２１５）と前記前部横方向端辺（１１４，２１４）との間の距離は、前記吸収性の製品（１０１，２０１）の全長を構成し、
前記吸収性の製品（１０１，２０１）は、
前記後部横方向端辺（１１５，２１５）から製品（１０１，２０１）の全長の６０％の距離を離間して位置する横方向線（１３４，２３４）と、
前記吸収性の製品（１０１，２０１）の前記後部横方向端辺（１１５，２１５）との間の前記液体透過性のカバーシート（１０２，２０２）上に配置された、便のための収容領域（１３５，２３５）と、
を備え、
前記吸収性の製品（１０１，２０１）は、便を除去することを意図された拭き取り領域（１３１，２３１）を備え、
該拭き取り領域（１３１，２３１）は、前記便のための収容領域（１３５，２３５）の外側に配置されている、吸収性の製品において、
前記拭き取り領域（１３１，２３１）は、前記吸収性の製品（１０１，２０１）に結合された、分離した材料部分（１３２，２３２）を備え、
該分離した材料部分（１３２，２３２）は、便で汚れた使用者から便を拭き取ることを意図された拭き取り材（１３６，２３６）を備えることを特徴とする吸収性の製品。
【請求項２】
前記拭き取り材（１３６，２３６）を構成する前記材料部分（１３２，２３２）は、前記液体透過性のカバーシート（１０２，２０２）上に配置されていることを特徴とする請求項１に記載の吸収性の製品。
【請求項３】
前記吸収性の製品（１０１，２０１）は、乳児のためを意図されたオムツ（１０１）であって、前記拭き取り材（１３６）を構成する前記材料部分（１３２）は、前記オムツ（１０１）の長さ方向に、前記オムツの全長の１０〜４０％の、好ましくは前記オムツの全長の２５〜３５％の延長部を有することを特徴とする、請求項１又は２に記載の吸収性の製品。
【請求項４】
前記拭き取り材（１３６）を構成する前記材料部分（１３２）は、前記オムツ（１０１）の横方向に、少なくとも１２センチメータの、好ましくは少なくとも１５センチメータの延長部を有することを特徴とする請求項３に記載の吸収性の製品。
【請求項５】
前記拭き取り材（１３６）を構成する前記材料部分（１３２）は、前記オムツ（１０１）の横方向に、前記オムツ（１０１）の前幅に亘る延長部を有することを特徴とする請求項３又は４に記載の吸収性の製品。
【請求項６】
前記吸収性の製品（１０１，２０１）は、大人のためを意図された失禁ガード（２０１）であって、前記拭き取り材（２３６）を構成する前記材料部分（２３２）は、前記失禁ガード（２０１）の長さ方向に、前記失禁ガードの全長の２０〜３０％の、好ましくは２５％の延長部を有することを特徴とする、請求項１又は２に記載の吸収性の製品。
【請求項７】
前記拭き取り材（２３６）を構成する前記材料部分（２３２）は、前記失禁ガード（２０１）の横方向に、少なくとも１５センチメータの、好ましくは少なくとも１８センチメータの延長部を有することを特徴とする請求項６に記載の吸収性の製品。
【請求項８】
前記拭き取り材（２３６）を構成する前記材料部分（２３２）は、前記失禁ガード（２０１）の横方向に、前記失禁ガード（２０１）の前幅に亘る延長部を有することを特徴とする請求項６又は７に記載の吸収性の製品。
【請求項９】
前記拭き取り材（１３６，２３６）は、セルロース繊維を備えることを特徴とする請求項１〜８のいずれか一項に記載の吸収性の製品。
【請求項１０】
前記拭き取り材（１３６，２３６）は、レーヨン繊維を備えることを特徴とする請求項１〜９のいずれか一項に記載の吸収性の製品。
【請求項１１】
前記拭き取り材（１３６，２３６）は、マイクロ繊維を備えることを特徴とする請求項９又は１０に記載の吸収性の製品。
【請求項１２】
前記拭き取り材（１３６，２３６）は、前記拭き取り材（１３６，２３６）の濡れた状態での強度を増す手段を備えることを特徴とする請求項９、１０、又は１１に記載の吸収性の製品。
【請求項１３】
前記拭き取り材（１３６，２３６）は、前記拭き取り材（１３６，２３６）のやわらかさを増す手段を備えることを特徴とする請求項９〜１２のいずれか一項に記載の吸収性の製品。
【請求項１４】
前記拭き取り材（１３６，２３６）は、折り畳まれた３次元構造を有することを特徴とする請求項１〜１３のいずれか一項に記載の吸収性の製品。
【請求項１５】
前記拭き取り材（１３６，２３６）の折り畳みは、１〜２０回／センチメータ、好ましくは２〜１２回／センチメータ、最も好ましくは３〜８回／センチメータの回数であることを特徴とする請求項１４に記載の吸収性の製品。
【請求項１６】
前記拭き取り材（１３６，２３６）は、開口部を備える構造を有することを特徴とする請求項１〜１３のいずれか一項に記載の吸収性の製品。
【請求項１７】
前記拭き取り材（１３６，２３６）の開口部は、１〜２０個／センチメータ、好ましくは２〜１２個／センチメータ、最も好ましくは３〜８個／センチメータの個数であることを特徴とする請求項１６に記載の吸収性の製品。
【請求項１８】
前記吸収性の製品は、パンツ型オムツであることを特徴とする請求項１、３〜１７のいずれか一項に記載の吸収性の製品。
【請求項１９】
前記吸収性の製品は、帯型オムツであることを特徴とする請求項１、３〜１７のいずれか一項に記載の吸収性の製品。
【請求項２０】
前記拭き取り材（１３６、２３６）を構成する前記材料部分（１３２、２３２）は、前記吸収性の製品（１０１、２０１）の前記裏当てシート（１０４、２０４）上に配置されていることを特徴とする請求項１に記載の吸収性の製品。
【発明の詳細な説明】
【技術分野】
【０００１】
本発明は、赤ちゃん用のオムツ又は失禁ガードのような、吸収性の製品（ａｂｓｏｒｂｅｎｔ  ａｒｔｉｃｌｅ）に関する。この製品は、使用中は使用者の方に向かうようにされた液体透過性のカバーシートと、使用中は使用者から離れる方に向くようにされた裏張りシートとを備える。吸収体は、液体透過性のカバーシートと裏張りシートとの間に配置される。
【０００２】
さらに、この製品は、後部横方向端辺と前部横方向端辺とを備え、後部横方向端辺と前部横方向端辺との距離が、製品の全長を構成している。吸収性の製品は、液体透過性のカバーシート上に配置された、便（ｆａｅｃｅｓ）のための収容領域を備え、該収容領域は、後部横方向端辺から、製品の全長の６０％の距離に位置する横方向線と、吸収性の製品の後部横方向端辺との間に配置されている。
【０００３】
また、吸収性の製品は、便を除去するための拭き取り領域を備え、該拭き取り領域は便のための収容領域の外側に配置されている。
【背景技術】
【０００４】
赤ちゃん用のオムツ、及び失禁ガードは、使用者の身体の低部部分をカバーするように意図されており、股部分と、前部腰部及び後部腰部とを備えている。
【０００５】
赤ちゃんのオムツ及び失禁ガードを取り替えることは本質的に通常、介護者、すなわち、赤ちゃんのオムツの場合には子供の両親の一方、そして失禁ガードの場合には雇用された介護者または近親者によって行われる。
【０００６】
上記のような吸収性の製品を替える時、使用者の下腹部が便によってひどく汚れていることは珍しいことではなく、このような場合、下腹部は新しい製品が使用者に着けられ得る前に十分に清浄化されなければならない。
【０００７】
便はいくつかの段階を追って除去されるのが通常であり、第１の段階は、使用者に付着している便の大部分を除去する目的で、汚れた下腹部を大まかに清浄化することである。次に、第２の洗浄の段階で、子供又は介護を要する人に新しい吸収性の製品を着用させる準備の目的で、汚れた下腹部がより完全にきれいにされ又は洗浄される。
【０００８】
特許文献１では、便で汚れた使用者の下腹部をきれいにするについての問題が、使用のときに使用者の皮膚に移動される特殊なローションを有する、身体に面する製品の表面を提供することによって取り組まれている。移動されたローションは、着用者の皮膚に便が付着するのを軽減し、便の除去を容易化する。
【０００９】
使用者の下腹部をきれいにするのを容易化することを目的とする別のアプローチは、便を収容する特別の領域を有する吸収性の製品を提供することである。
【００１０】
これらの製品を設計することの目的は、排泄された便の大部分が製品に付着し、着用者の皮膚には少量しか付着しないという特性を有する製品を提供することである。これらの製品のほとんどの共通の特徴は、便のための収容領域、すなわち製品の後部が、便を収容し保存するために好適な、異なるタイプのカバーシートを有するように提供することである。
【００１１】
特許文献２は、より粘度の高い便からの低粘度の便の分離に関し、勿論、使用者の下腹部が便で汚れるという問題を軽減している。
【００１２】
特許文献３は、製品の後部に配置された、便を収容する特別な領域と、便が製品の内部に進入することができる比較的大きな開口部を有する収容材からなる特別な収容領域と、便が簡単に付着する開口部とからなる吸収性の製品について記述している。この出願が解決しようとしている主な問題は、便が、製品のカバーシートの最も上部を通過でき、下部にある、より吸収性の高い材料の層の中に包み隠されることを確実にすることである。
【００１３】
一の実施形態においては、製品は一体に形成されたカバーシートを有し、このカバーシートの領域には、便を収容するために開口部が形成され、製品のカバーシートの他の部分は同じカバーシートではあるが特別な開口部の無いカバーシートから成っている。
【００１４】
さらに、開口部を備える領域を疎水性の手段でどのように処理することができるか、又は代替的に、開口部の無い領域を親水性の手段でどのように処理することができるかを記述している。疎水性の手段、又は親水性の手段の選択は、処理の前にカバーシートが有する疎水性／親水性の度合いに依存する。どちらの処理が行われるかにかかわらず、望ましい最終結果は、便のための比較的疎水性の収容領域と尿のための比較的親水性の収容領域とを有することにある。また、製品の前部のカバーシートの親水性の部分は、尿の迅速な通過のために特に最適化されていることが記述されているが、その部分がまた使用者の下腹部から便を除去するための最初の拭き取り領域として機能できることもまた記述されている。
【００１５】
よって、便の取り扱いに関して記述された吸収性の製品の有効性にかかわらず、製品に対しては、製品が取り替えられるときに、使用者の下腹部からの便の除去の面において更なる改善が要請されている。
【００１６】
便はいくつかの段階を追って汚れた下腹部から除去されるのが通常であり、第１の段階は、使用者に付着している便の大部分を除去する目的での、汚れた下腹部の大まかな清浄化である。後続のより完全な下腹部の清浄化及び洗浄は、次に第２の段階で行われる。
【００１７】
最初の拭き取り／大まかな清浄化は、多くの様々な方法で行うことができ、多くの異なる拭き取り物の中から選択することが可能である。
【００１８】
多くの親及び介護業者が、使用者から取り外されたばかりのオムツや失禁ガードを最初の拭き取りのために使用している。オムツ、又は失禁ガードは通常、使用者から離れる方に面する側で把持され、良好な把持が得られるように皺を寄せられる。次いで、最初の拭き取りが皺を寄せられたオムツ又は失禁ガードを用いて行われる。この最初の拭き取りの目的は、使用者の皮膚の上に位置している便の大部分を除去することである。拭き取り作業の別の目的は、製品が廃棄される前に、製品の中にできるだけ便を収集することである。尿と便の両方を含む吸収性の製品は、次いで、折り畳まれ、若しくは丸められ、廃棄されるまで好適な方法で密閉される。
【００１９】
介護業者は通常、拭き取り作業が開始されるときには便で汚れていないオムツ又は失禁ガードの好適な部分を使用して拭き取り作業を行おうとする。
【００２０】
上述した拭き取り方法の利点は、使用者の下腹部の大まかな清浄化のために別の拭き取り材を使用することが無いということであり、経済的及び環境的な両方での利益が得られるということである。
【００２１】
しかしながら、この最初の清浄化の段階のために製品を使用することの不利点は、吸収性の製品が拭き取り目的に特に良く適合しているわけではないということである。
【００２２】
使用者の皮膚から便を取り除くという問題を解決する別の共通の方法はもちろん、例えば従来のトイレットペーパーのような、最初の大まかな清浄化のための特別な拭き取り紙を使用することである。
【００２３】
例えば、便のために意図された様々なタイプの拭き取り材が、いくつかの異なる特許文献に記述されている。一例として、特許文献４は、便用に意図された、柔らかく有効な拭き取り材に使用するための表面構造及び化学添加物について記述している。不必要なほど大量の拭き取り材／トイレットペーパーが通常、使用者の下腹部から便を除去する、このような方法に使用される。
【００２４】
また、特別な洗浄用布が多くの人によって最初の大まかな拭き取り及び後続のより完全な使用者の下腹部の正常化の両方のために使用されている。
【００２５】
また、オムツ又は失禁ガードの使用者の汚れた下腹部を清浄化するために特別にデザインされた洗浄用手袋（ｍｉｔｔｅｎ）も市場で入手することができる。洗浄用手袋は、通常、２枚の基本的に長方形の材料シートからなり、これらのシートは３つの端部に沿って結合され、材料シートの間にポケットが形成される。洗浄用手袋を使用する場合、拭き取りを行う人の手は洗浄用手袋のポケットの内部に位置し、その後拭き取りが行われる。こうして手は汚れないように保護される。
【００２６】
上記に示された種類の洗浄用手袋の例が、特許文献５に記載されている。
【００２７】
例えばトイレットペーパー、洗浄用布、又は特別な洗浄用手袋のような、これらすべての異なるタイプの別々の拭き取り手段の主な不利点は、拭き取りが行われようとするときに、それらを用意するのに所定の時間を要するということである。例えば、トイレットペーパーはトイレットペーパーのロールから巻き戻さなければならず、洗浄用布は包装から出さなければならない、等である。しばしば、分離された洗浄用拭き取り製品はすぐに見つけられる場所に配置されることさえなく、それゆえに所定の時間が拭き取り用製品を探すことに費やされてしまう。オムツ又は失禁ガードが開けられたときから拭き取り操作が行われるまでの短い間に、赤ちゃん又は介護を要する人は移動する場合があり、排泄物を自分たちの皮膚及び周囲に擦り付けてしまう。また、拭き取り用品を探しているときにも、介護者又は親はしばしば赤ちゃん又は介護を要する人を見ておく必要がある。特に、身体の柔軟さの故に、赤ちゃんは、手や足を排泄物の中に突っ込んでしまう。
【００２８】
トイレットペーパー、洗浄用布、及び特別な洗浄用手袋の別の不利点は、これら拭き取り材が、どのタイプであるかにかかわらず、清浄化が行われる非常に短い時間しか使用されないということである。清浄化が終わった後すぐに、トイレットペーパー、洗浄用布、又は洗浄手袋は廃棄され、次いで、なんらの追加的な利益を提供することの無い大量のゴミに加えられる不便で問題のある廃棄物を構成する。また、例えば、洗浄用布又は洗浄用手袋を用いて大量の便を取り扱うことには問題がある。
【００２９】
また、これら様々な拭き取り製品のコストは、洗浄用の手袋、洗浄用布、又はトイレットペーパーがもたらす限られた利益との関係で、多くの人にとって非常に高く感じられる。また、分離した拭き取り用製品を使用することに含まれる無駄は、多くの親及び介護者にとって頭の痛いことである。
【００３０】
従って、オムツ又は失禁ガードの使用者の汚れた下腹部からの便の最初の拭き取り／除去のための効果的な製品であって、オムツ又は失禁ガードが使用者から外された直後に入手可能な製品に対する必要がある。
【００３１】
さらに、オムツ又は失禁ガードの使用者の汚れた下腹部からの便の最初の拭き取り／除去のための効果的な製品であって、高価であると認識されず、資源の不必要な消費に含まれるとみなされない製品が要請されている。
【特許文献１】米国特許第５６０７７６０号明細書
【特許文献２】米国特許第６６４８８６５号明細書
【特許文献３】国際公開第００／２８９２９号パンフレット
【特許文献４】米国特許第６４２００１３号明細書
【特許文献５】国際公開第９６／１６２１７号パンフレット
【特許文献６】欧州特許出願公開第６７３３１４号明細書
【特許文献７】米国特許第４９０２６５４号明細書
【特許文献８】米国特許第４９０６５１３号明細書
【特許文献９】スウェーデン特許第５２０２３６号明細書
【発明の開示】
【発明が解決しようとする課題】
【００３２】
本発明の手段によって、導入部で参照されたタイプの吸収性の製品が生産され、この吸収性の製品は、従前から知られている吸収性の製品に関する問題を解消する。
【課題を解決するための手段】
【００３３】
本発明によって設計された吸収性の製品は、主に、拭き取り領域が、吸収性の製品に結合する別の材料を備えてなることを特徴としており、この別の製品の部分は、便で汚れた使用者から便を拭き取るために意図された拭き取り材を備えてなる。
【００３４】
好ましい実施形態によれば、拭き取り材を構成する材料部分は、吸収性の製品の液体透過性のカバーシートの上に配置されている。
【００３５】
一の実施形態によれば、吸収性の製品は乳児のために意図されたオムツである。この場合の拭き取り材を構成する材料部分は、オムツの長さ方向に、オムツの全長の１０〜４０％の延長部分を有する。好ましくは、この材料部分はオムツの全長の２５〜３５％の延長部分を有する。
【００３６】
別の実施形態によれば、吸収性の製品は乳児のために意図されたオムツであり、拭き取り材を構成する材料部分は、オムツの横方向に少なくとも１２センチメータの、好ましくは少なくとも１５センチメータの延長部分を有する。
【００３７】
吸収性の製品が乳児のために意図されたオムツであるまた別の実施形態によれば、拭き取り材を構成する材料部分は、前記オムツの横方向にオムツの全幅に亘る延長部を有している。
【００３８】
一の実施形態によれば、吸収性の製品は大人のための失禁ガードである。この場合の拭き取り材を構成する材料部分は、失禁ガードの長さ方向に、失禁ガードの全長の２０〜３０％の延長部分を有する。好ましくは、この材料部分は失禁ガードの全長の２５％の延長部分を有する。
【００３９】
別の実施形態によれば、吸収性の製品は大人のために意図された失禁ガードであり、拭き取り材を構成する材料部分は、失禁ガードの横方向に少なくとも１５センチメータの、好ましくは少なくとも１８センチメータの延長部分を有する。
【００４０】
吸収性の製品が大人のために意図された失禁ガードであるまた別の実施形態によれば、拭き取り材を構成する材料部分は、前記失禁ガードの横方向に失禁ガードの全幅に亘る延長部を有している。
【００４１】
好ましい実施形態によれば、拭き取り材はセルロース繊維を備えてなる。
【００４２】
別の実施形態によれば、拭き取り材はレーヨン繊維を備えてなる。
【００４３】
一の実施形態によれば、吸収性の製品上の拭き取り材は、拭き取り材の乾燥時の強度を増す手段及び／又は拭き取り材の濡れている時の強度を増す手段を備える。
【００４４】
吸収性の製品の一の実施形態によれば、拭き取り材はやわらかさを増す手段を備えている。
【００４５】
吸収性の製品の一の実施形態によれば、拭き取り材は折り畳まれた３次元構造を有している。
【００４６】
一の実施形態によれば、折り畳みは１〜２０回／センチメータ、好ましくは２〜１２回／センチメータ、そして最も好ましくは３〜８回／センチメータの回数である。
【００４７】
吸収性の製品の一の実施形態によれば、拭き取り材は開口部を備える構造を有している。
【００４８】
一の実施形態によれば、開口部は１〜２０個／センチメータ、好ましくは２〜１２個／センチメータ、そして最も好ましくは３〜８個／センチメータの個数を有している。
【００４９】
本発明の一の実施形態によれば、吸収性の製品は一対のパンツ型オムツであり、別の実施形態によれば帯型オムツである。
【００５０】
一の実施形態においては、拭き取り材を構成する材料部分は製品の裏当てシート上に配置されている。
【発明を実施するための最良の形態】
【００５１】
本発明は、添付の図面に示される図を参照しつつ後述により詳細に記述される。ここで、図１は本発明の第１の形態による、乳児のために意図された使い捨てのオムツを示している。
【００５２】
図２は、本発明の第２の実施形態による、介護を要する大人の使用者のためを意図された失禁ガードを示している。
【００５３】
本発明は、赤ちゃんのオムツ、失禁ガード又はその種のもののような吸収性の製品に関する。オムツ又は失禁ガードは、着用されたときに使用者の腰の周りで接合された、いわゆる開放型の（ｏｐｅｎ）オムツ又は失禁ガードの形態にすることができる。代替的に、オムツ又は失禁ガードはいわゆるパンツ型オムツとすることができ、この場合、オムツ又は失禁ガードは結合された腰の領域を有する完全なパンツとして設計されている。パンツ型オムツは通常のパンツと全く同様に使用者の脚から上に引っ張り上げることによって着用される。パンツ型のオムツ又は失禁ガードが使用者から取り外されるとき、結合された腰の領域は破られ、又は切り離されるのが通常である。別の考えられるオムツの型は、帯型オムツである。このようなオムツは、使用者の腰の周りに装着された帯に固定される。帯は、使用者の周りに固定されている分離した帯とすることができ、又はオムツ若しくは失禁ガードと一体とされた帯とすることができる。
【００５４】
また、本発明によって設計された製品は、固定用オムツの助けによって固定されるよう意図された、いわゆる挿入型オムツ又は失禁ガードとすることができる。この場合のオムツ又は失禁ガードは、それ自体の固定部材を有さず、その代わりに、使用に当たっては、アンダーパンツ又は特別な固定用パンツの中に挿入される。
【００５５】
図１に示す第１の実施形態は、使用中には使用者に向いて面するようにされているオムツ１０１の側から見たオムツ１０１に関する。図１のオムツ１０１は平面状に引き伸ばされている。
【００５６】
オムツ１０１は本質的には砂時計状の形状であり、長さ方向の端辺１１２、１１３と、前部横方向端辺１１４及び後部横方向端辺１１５とを有する。また、オムツ１０１は、前端部１２１、後端部１２２、及び両端部１２１、１２２の間に配置された狭い股部分１２３を有する。
【００５７】
使用中には、股部分１２３は、使用者の大腿部の間の最も狭い領域に配置されるように意図されている。
【００５８】
製品を右半分と左半分とに分ける長さ方向の対称線１３３が、図１に示されている。２つの半分部分は対称線１３３の周りに対称的に配置されている。
【００５９】
また、横方向線１３４が図１に示されている。横方向線１３４はオムツ１０１を前部と後部とに分け、線１３４からオムツの前部横方向端辺１１４までの距離はオムツの全長の４０％であり、線１３４からオムツ１０１の後部横方向端辺１１５までの距離はオムツ１０１の全長の６０％となっている。
【００６０】
オムツ１０１を使用している間は、横方向線１３４とオムツ１０１の後部横方向端辺１１５との間の領域は、便のための収容領域１３５として機能する。
【００６１】
オムツ１０１は、使用中は使用者の方に向くようにされているオムツ１０１の表面上に配置されている液体透過性のカバーシート１０２と、使用中は使用者から離れるほうに向くようにされているオムツの表面の上に配置されている裏当てシート１０４と、液体透過性のカバーシート１０２と裏当てシート１０４との間に封入されている吸収体１０６と、この吸収体１０６の外側に配置されているフラップ（ｆｌａｐ）１０３とを備えている。
【００６２】
液体透過性のカバーシート１０２は、吸収体１０６の周囲全体に沿って、吸収体１０６の外側に延在している。液体透過性のカバーシート１０２は、この目的のために好適な、いかなる材料から構成することもできる。通常使用される液体透過性のカバーシート材の例は不織布材、穴を開けられたプラスティックフィルム、プラスティックまたは布製の網、及び液体透過性の発泡性の層である。主として製品の長さ方向または横方向に延びる連続的な細い繊維からなる液体透過性のカバーシートもまた見受けられる。また、別の表面部分の中に別の材料を備えるカバーのような、２以上の上述した可能性を有するカバー材料からなる積層体が一般的である。
【００６３】
特に非常に強靭で破れ難い吸収体１０６を備えてなる吸収性製品は、使用中に使用者の方に向いている製品の側に要求される付加的な液体透過性のカバーシート無しでも機能することができる。
【００６４】
また、裏当てシート１０４は、吸収体１０６の周囲に沿って、吸収体１０６の外側に延在している。吸収製品上の普通の裏当てシートは、通常、液体非透過性であるが、別のタイプの裏当てシートもまた見受けられる。裏当てシート１０４は多くの異なる材料から構成することができる。裏当てシート１０４は薄い液密なプラスティックフィルムからなるのが最も普通であるが、別のタイプの液密な材料を使うことも可能であり、例えばプラスティック、液密な発泡性シート、液密な接着剤、またはこれらと同様なものでコーティングすることによって液密にされた不織材のようなものが挙げられる。また、裏当てシート１０４は上記透過性の材料で構成することもできる。また、少なくとも１つの液密な材料からなる積層体も見受けられる。これらの積層体は、通常、液体遮蔽材として機能する液密な材料と、使用中は使用者から離れる方向の側に配置される、より織物状の材料とから構成され、製品の外側は、より布状とされている。
【００６５】
液体透過性のカバーシート１０２及び裏当てシート１０４は、吸収体１０６の外側で吸収体１０６の周囲全体に沿って互いに結合されている。
【００６６】
液体透過性のカバーシート１０２及び裏当てシート１０４は、多くの別の方法で互いに結合することができる。結合方法の例は、糊付け、熱溶着、超音波溶着またはそれらと同様な方法である。
【００６７】
弾性手段１０５は、吸収体の外側に、オムツ１０１の長手方向に本質的に延びる、オムツ１０１の側部のフラップの部分に配置されている。弾性手段１０５は脚部弾性材として機能し、液体及び排泄物が、長手方向に伸びる側端辺１１２，１１３を通じて漏れるのを防ぐ目的を果たし、これによって周りのシートとともに外側液体遮蔽材を形成している。弾性手段１０５は、液密なカバーシート１０２と裏当てシート１０４との間のオムツ１０１の少なくとも股部分１２３に引き伸ばされた状態で適用された１以上の弾性糸を備えてなる。弾性手段１０５は、裏当てシート１０４及びカバーシート１０２に糊付け、超音波溶着又はそれと同様の方法によって結合されている。
【００６８】
代替的な実施形態においては、弾性手段は、使用中は側部フラップ１０３の使用者の方に向かう側、若しくは側部フラップの反対側に配置することができ、言うまでも無くカバーシート１０２のみ又は裏当てシート１０４のみに結合されている。
【００６９】
代替的な実施形態においては、弾性手段は、例えば発泡性材から作られる弾性的帯状材から構成することができる。
【００７０】
砂時計形状の吸収体１０６は、セルロースのフラフパルプの１以上のシートから構成することができる。セルロースのフラフパルプは、吸収中に多量の液体と化学的に結合する種類の高度に吸収性を有するポリマー材からなる繊維又は粒子とこの結合の中で混合することができ、液体を含有するゲルを形成する。また、吸収体１０６は、吸収体の内部又は吸収体の表面近傍若しくは表面の層の中に配置された高度に吸収性を有するポリマー材を備えることができる。また、吸収体１０６は、吸収体１０６の特性を改善するための追加的な成分を含むことができる。このような成分の例は、結合性繊維、様々なタイプの液体拡張シート若しくは繊維、形状安定成分、強化繊維、又はこの種の成分である。また、吸収体１０６は、吸収性の不織材、吸収性の発泡材、織物材、ピート又は様々なタイプの吸収材のような、別のタイプの吸収材を、もちろん備えることができる。
【００７１】
また、大量の液体を迅速に収容し、次いで一時的にこの液体を保持し、一時的に保持された液体を吸収体１０６の別の部分に受け渡す特別なシートを、特定のタイプのオムツの中に備えることができる。このような収容層は、通常、オムツ１０１の液体透過性のカバーシート１０２と吸収体１０６との間に配置される。
【００７２】
図中には収容層は示されていない。
【００７３】
液体又は便がオムツの側端辺１１２、１１３を越えて漏れ出すことに対する更なる防御を提供するために、前記オムツ１０１は、使用中は使用者の方に向くようにされた側に内側漏れ遮蔽材１０９を備えて提供される。内側漏れ遮蔽材１０９は、吸収体１０６の長手方向端辺１１０に隣接して配置され、本質的にオムツ１０１の長手方向に延在する。それぞれの内側漏れ遮蔽材１０９は、分離した材料ストリップ１１１から作られており、このストリップ１１１は本質的に２つの平行な長手方向端辺１１６、１１７を有している。材料ストリップ１１１は２つ折りにされ、材料ストリップ１１１の長手方向端辺１１６、１１７は、次いで、互いに隣り合わせに配置される。材料ストリップ１１１の端辺１１６、１１７はカバーシート１０２に固定され、側部漏れ遮蔽材の固定された端辺を構成している。材料ストリップ１１１の折り畳まれた端辺は、側部漏れ遮蔽材１０９の自由端を構成している。
【００７４】
オムツ１０１の前部１２１及び後部端部１２２では、内側漏れ遮蔽材１０９が折り返され、カバーシート１０２に結合されている。
【００７５】
内側漏れ遮蔽材１０９は、予備張力を与えられた状態で内側漏れ遮蔽材１０９に結合された弾性要素１２４を備えている。弾性要素１２４は、好ましくは内側漏れ遮蔽材１０９の自由端のそばに配置される。予備張力を与えられた弾性要素１２４が解放されたとき、弾性要素１２４は内側漏れ遮蔽材１０９の自由端と共に緊縮され、次いで、内側漏れ遮蔽材１０９は、側部漏れ遮蔽材１０９が折り返されていない、カバーシート１０２に結合されたオムツ１０１の少なくとも股部分１２３において、液体透過性のカバーシート１０２から離れて立ち上がった構成となる。
【００７６】
また、オムツ１０１の後部及び／又は前部は、腰部弾性体１２５として知られているものを備えて提供されており、この腰部弾性体１２５はオムツ１０１の前部横方向端辺１１４及び／又は後部横方向端辺１１５に沿って配置された弾性手段を備え、オムツ１０１が使用者の腰の周りに柔らかく柔軟にフィットするようにされている。この図示された実施形態においては、オムツ１０１の後端部１２２だけが弾性を有する発泡材からなる細いストリップの形状で腰部弾性体１２５を有して提供されており、腰部弾性体１２５は裏当てシート１０４と液体透過性のカバーシート１０２との間に糊付けによって取り付けられている。腰部弾性体１２５は、シート１０２、１０４の間に引き伸ばされた状態で取り付けられており、オムツ１０１を使用者の腰部の周りで引き伸ばす保持力を生じさせている。
【００７７】
後端部１２２には、２つの柔らかく弾性を有さない定着タブ１２６がオムツ１０１を使用者の周りに固定するように配置されており、次いで一の固着タブ１２６が後端部１２２のそれぞれの側部に配置されている。使用中は、固着タブ１２６は、オムツ１０１の前端部１２１に配置された受け部分に取り付けることができる固定手段１２７を有する固着タブ１２６の効果によって、後端部１２２を前端部１２１に接続している。固着タブ１２６は、例えば単一の不織層又は積層体のような、非常に柔らかく、非弾性的な材料から好適に成っている。
【００７８】
代替的な実施形態においては、固着タブは弾性的であり得る。
【００７９】
固定手段１２７は、好ましくは面ファスナー材の雄部分からなり、例えば固着タブ１２６のオムツの使用中は収容部の方に向いた側の糊によって、固着タブ１２６に取り付けられている。
【００８０】
固着タブ１２６のための受け部分（図１には示されていない）は、固着タブ１２６の固定手段に適用された受け部材からなるストリップを備え、使用中は使用者から離れる方に向いたオムツの側、すなわち吸収体１０６から離れる方に向いた裏当てシート１０４の側の前部横方向端辺１１４に平行に延在している。本発明の図示された実施形態においては、受け部材は面ファスナー材の雌部分からなり、オムツ１０１の長手方向の延在部が固着タブ１２６の幅１２９に一致するように好適に設計されている。
【００８１】
オムツ１０１が乳児につけられたとき、オムツ１０１は股の領域で乳児の足の間に配置される。次いでオムツ１０１は子供の腰の周りに、固着タブ１２６の固定手段１２７をオムツを固定するための受け部分に適用できるように、固着タブ１２６を前端部分１２１にかぶせることによって閉じられる。
【００８２】
固着タブ１２６は、後端部１２２の結合領域１３０に結合されており、この結合領域１３０は後端部の、横方向に延びる側端辺１１２，１１３に位置している。結合領域１３０は、互いに結合されている、固着タブ１２６の部分と後端部１２２の部分とからなっている。
【００８３】
代替的な実施形態においては、固着タブ１２６の固定手段１２７は感圧性の糊を備えることができ、受け部（図１には示されていない）は、固定手段１２７の選択された感圧性の糊が好適な結合強度が得られるように結合され得る材料を備えて成っている。材料の組み合わせは、通常、固定手段１２７と受け部との間の結合が、使用中にオムツを調べるために開けたり再度閉じたりできるように選択されている。
【００８４】
オムツ１０１が取り替えられるとき、固定タブ１２６はオムツ１０１の前端部１２１から外され、その後、オムツ１０１は、子供の前部から前端部１２１を取り外すことによって開けられる。
【００８５】
オムツ１０１が便を含んでいる場合には、親がオムツを取り替え、便が拭い取られ廃棄される前に、オムツの中の子供の皮膚からできるだけ多くの便を集めようとするのが通常である。この場合、オムツ１０１を取り替える人は、便で汚れていないオムツ１０１の領域を選び、この領域を拭き取り作業のために使用することによって、オムツ１０１を拭き取り材として使用する。オムツ１０１の液体透過性のカバーシート１０２は通常、前端部１２１において便で汚れていないので、ほとんどの場合拭き取り作業に使用されるのはこの領域である。
【００８６】
本発明によるオムツ１０１は、便で汚れた子供の皮膚から便を拭き取るために特別に配置され、適用される所定の領域１３１を有する。この場合、この領域１３１は、拭き取り材１３６を構成する材料部分１３２を備え、特に、子供の皮膚から便を拭き取り、除去するように適用されている。
【００８７】
材料部分１３２は、液体透過性カバーシート１０２の、使用中は使用者の皮膚を支えるようにされている側に適用されているオムツ１０１の前端部１２１に配置されている。また、通常便で汚れることの無いオムツ１０１の領域の材料部分１３２の代替的な場所を考えることもできる。材料部分１３２の前部横方向端辺１３７は、オムツ１０１の前部横方向端辺１１４に配置されているが、代替的な実施形態においては、オムツ１０１の前部横方向端辺１１４から少し離れて配置することができる。また、材料部分１３２はオムツ１０１の前端部１２１と股部分１２３との間の境界に配置された後部横方向端辺１３８を有している。代替的な実施形態においては、材料部分１３２の後部横方向端辺１３８は、オムツ１０１の後部横方向端辺１１４のより近くに配置することができる。更なる実施形態においては、材料部分１３２は、股部分１２３の中に少しの距離を延在することができ、その場合、材料部分１３２の後部横方向端辺１３８は股部分１２３の中に配置されている。
【００８８】
材料部分１３２が拭き取り材１３６として機能することを確保するため、材料部分１３２は所定の最小表面積を有する、すなわちオムツ１０１の長手方向の最小延長部及びオムツ１０１の横方向の最小延長部を有する必要がある。表面積は、オムツ１０１が保持することができると期待される便の量に適応するのに十分なサイズである必要がある。この量はもちろん、オムツが幼い子供のためを指向しているのか、年長の子供のためを指向しているのか、又は大人のためを指向しているのかによって異なる。また、表面積は、オムツが拭き取りの間、皺を寄せられ把持されるときに物理的に効果的な拭き取り表面を構成するようなサイズである必要がある。他方、材料部分１３２は、尿のために設けられたオムツ１０１の中央の収容部分の中に延在するほど大きくてはならず、よって、特定の尿収容特性を特定の拭き取り特性と両立させるのは簡単ではない。
【００８９】
材料部分１３２は、期待される便の量に適応するために、また、物理的に効果的な拭き取り表面を構成するために、オムツ１０１の全長の１０％の最小延長部を有するべきである。しかし、オムツ１０１の尿収容領域を邪魔しないように、材料部分１３２は、オムツ１０１の前部横方向端辺１１４から、前記オムツ１０１の長手方向に、オムツ１０１の全長の４０％以上延在してはならないことが好都合である。このことは材料部分１３２が図１に示した横方向線１３４を越えてはならないということを意味している。
【００９０】
オムツ１０１が体重２〜４キログラムの身体の新生児用であるか体重約２５キログラムの大きな子供用であるかにかかわらず、上述の限界が有効であることがわかっている。オムツ１０１の長手方向の材料部分１３２の最も好適な延長部は、オムツ１０１の全長の２５〜３５％である。オムツ１０１の長手方向のこのような延長部によって、収集される便の量に関して本質的に常に十分に大きい拭き取り面積が得られる。また、材料部分１３２の表面積は、オムツ１０１が拭き取り作業中に把持され皺が寄せられるときに十分に大きな拭き取り面積を構成するようにされている。また、オムツの長手方向にこの延長部を有する材料部分１３２は、オムツ１０１の尿収容領域の外側に十分な余裕を有して配置されており、尿収容の観点からのオムツの特性は妥協されていない。
【００９１】
材料部分１３２はオムツ１０１の長手方向の対称線に対して対称に配置されており、材料部分１３２はオムツ１０１の前幅に亘って延在している。材料部分１３２はオムツ１０１の前端部分の液体透過性のカバーシート及び裏当てシート１０４と同じ形を有しており、前記材料部分１３２は前部１２１の全体を覆っている。代替的に、材料部分はオムツ１０１の横方向に延長部分を持つことができ、この延長部分は前部１２１における横方向のオムツ１０１の延長部分より小さい。しかし、材料部分は少なくとも１２ｃｍ、好ましくは少なくとも１５ｃｍの横方向の延長部を有するべきである。
【００９２】
材料部分１３２は、糊付け、熱溶融、超音波溶着、又は同様の好適な方法によって液体透過性のカバーシートに結合されている。
【００９３】
この結合は材料部分１３２の表面全体に亘って、若しくは材料部分１３２の２以上の端辺に沿って行うことができる。この結合は、材料部分１３２に亘って実質的に均一に分散された多数の分離した結合要素、もしくは材料部分１３２の表面全体に亘る連続的な結合によって行うことができる。
【００９４】
分離した結合要素は円形状、星形状、又は長方形状の形状を有することができる。
【００９５】
また、結合を材料部分１３２の表面に亘る連続的な結合線の形状に配置することも可能であり、この場合、連続的な結合線は、便宜上、互いに関係する２つの実質的に垂直な方向に延在する。
【００９６】
本発明の図示された実施形態においては、オムツ１０１の内側漏れ遮蔽部１０９は材料部分１３２の全面に亘って、すなわち使用中は使用者の方に向かう材料部分１３２の側に配置されている。
【００９７】
代替的な実施形態においては、材料部分１３２はオムツ１０１の横方向に延長部を有することができ、この延長部はオムツの２つの内側漏れ遮蔽部１０９の間の距離より小さい又は同じであり、材料部分１３２は完全に内側漏れ遮蔽部１０９の間に配置される。
【００９８】
また、内側漏れ遮蔽部１０９が前部横方向端辺１１４まで延在しないようにオムツ１０１を形成することも考えられ、この場合、材料部分１３２及び内側漏れ遮蔽部１０９は互いに干渉する可能性は無い。
【００９９】
別の実施形態において、材料部分１３２は内側漏れ遮蔽部１０９とともに折り畳むことができ、よってそれぞれの側部漏れ遮蔽部１０９の部分を構成している。
【０１００】
特殊な拭き取り材１３６からなる領域１３１がオムツ１０１の尿収容領域と干渉しないので、液体を通過させないという観点における要求、及び他の尿に関する特性は、領域１３１においてはオムツ１０１の尿収容領域におけるほど大きくない。
【０１０１】
オムツ１０１の尿収容領域は本質的に股部分１２３から成っている。このことは、所定の尿に関する特性を、拭き取り材１３６に対する拭き取りに関する特性のために無視することができるということを意味している。
【０１０２】
皮膚から便を除去する／拭き取るために適用された材料がどのように形成されるべきであるかという大量の情報が、文献及び拭き取り材／トイレットペーパーの分野の専門家から得られる。
【０１０３】
本発明によるオムツ１０１の液体透過性のカバーシート１０２上に適用された拭き取り材１３６は、トイレットペーパーの特性及び追加的な他の特性を有しなければならない。
【０１０４】
トイレットペーパーの通常の特性を超えて必要とされる所定の特性は、拭き取り材１３６が大変滑らかで強いので、オムツ１０１が着用されている時間中、皮膚が悪影響を受けることなく、又は拭き取り材１３６の拭き取り特性が多少劣化することなく、使用者の身体を支持することができる、ということである。滑らかさは、材料と使用者の皮膚との間の摩擦に密接に関連する特性であり、この理由は、皮膚に対する低い摩擦力は拭き取り材１３６にとって拭き取り材１３６が乾いているときと濡れているときとの両方で、及び使用者の皮膚が濡れている又は乾いているときの重要なパラメータであるということである。
【０１０５】
赤ちゃん用のオムツ１０１は通常、日中は３〜８時間、夜間は１０〜１２時間まで使用され、オムツが使用されているときのほとんどの間、特に夜には濡れていると考えられる。
【０１０６】
また、拭き取り材１３６は、たとえ使用時の大部分の間が湿っていても、長い使用の間に乳児の皮膚上に繊維屑の残渣を残してはならない。
【０１０７】
勿論、拭き取り材１３６は、長い間乾いた若しくは濡れた状態で身体を支持しているとしても、アレルギー反応若しくは皮膚のかゆみを生じさせてはならない。
【０１０８】
これらに加えて、拭き取り材１３６がトイレットペーパーの特性と共通して有している特性は、材料の吸収容量及び材料の表面構造である。
【０１０９】
吸収特性は、材料がその表面に別の材料を結合させる能力として定義され、本発明に関連して、拭き取り材１３６がその表面に便を結合させる能力は、勿論、最も重要である。
【０１１０】
拭き取り材１３６の表面構造は、材料が拭き取りの間に便を如何に迅速に拾い上げることができるかということに対して非常に重要である。また、表面構造は、一方、如何に良好に便が材料にくっつくかを、他方、如何に良好に便が材料上に保持され得るかを決定する。
【０１１１】
拭き取り材１３６は、凹凸（ｅｌｅｖａｔｉｏｎｓ  ａｎｄ  ｄｅｐｒｅｓｓｉｏｎｓ）を備える折り畳まれた３次元構造を有している。この場合、材料は１〜２０回／ｃｍの、好ましくは２〜１２回／ｃｍの、そしてより好ましくは３〜８回／ｃｍの凹凸の回数を有している。”回数”という用語はここでは、材料上の任意の点から、この点から最も多い数の凸部を有する方向に１ｃｍの距離に沿って含有する凸部の数を示している。拭き取り材１３６上の凹凸との回数を決定するとき、この回数は拭き取り材１３６に亘って実質的に均一に分散された少なくとも１０個の点から測定され、回数は測定された回数の平均値として計算される。
【０１１２】
拭き取り材１３６の３次元の表面構造は、肉眼的なレベルでなければならず、すなわち、３次元構造は通常の読書距離で、目視で観察できなければならない。また、表面構造は所定の弾力性と安定性とを有する必要があり、よって拭き取り操作に関連してつぶれることは無い。このような表面構造は、拭き取り操作の間に便を捕らえるとともに、またその折り畳み部と凹部の中に便を保存する。
【０１１３】
代替的な実施形態においては、子供の皮膚から便を拭き取り／除去するために特に適用された拭き取り材１３６は、拭き取り作業の間に便を収集することのできる開口部を備え、この開口部の中に便を捕え／保存することによって拭き取り／除去を補助する材料から構成することができる。この場合、開口部は１〜２０個／ｃｍ、好ましくは２〜１２個／ｃｍ、最も好ましくは３〜８個／ｃｍの個数で形成される。個数は、材料の凹凸の回数と同様に上述に従って測定される。開口部を備える拭き取り材に対して、個数は、凹凸の回数と同様に、材料の部分１３２に亘って実質的に均一に分散された１０の測定値の平均値として計算される。
【０１１４】
凹凸を備える折り畳まれた拭き取り材１３６は、生産工程中に折り畳まれ、その後、折り畳まれた状態で、オムツ１０１の液体透過性のカバーシート１０２に接続される。
【０１１５】
折り畳みは、半径方向に方向付けられた凹凸を備える生産装置のローラを通じて拭き取り材１３６を搬送することによって生成される。また、ローラは負圧を発生するための手段を備え、拭き取り材１３６はローラに対して吸引されており、ローラの凹凸に従って成形されている。最終的に、拭き取り材１３６は、ローラから取り外される前に、液体透過性のカバーシート１０２に結合されている。
【０１１６】
代替的に、拭き取り材は、予備張力をかけられた弾性を有する手段を拭き取り材に結合することによって折り畳むことができ、この場合、折り畳み形状は予備張力が開放されたときに弾性を有する手段が緊縮するのに従って形成される。
【０１１７】
折り畳まれた拭き取り材を生産する別の方法は、平面状の材料と折り畳まれた材料とを備える積層体を予備形成することであり、この場合、積層体は上述のいずれかの方法に従って生産することができる。この場合、折り畳まれた材料は、折り畳まれた状態で積層体の平面状の側に固定されている。特許文献６は、上述に従って折り畳まれた積層体を生産する方法を記載している。
【０１１８】
また、縮緬状の材料も材料部分１３２のために使用することができる。
【０１１９】
拭き取り材１３６は便宜的に紙のパルプ繊維、綿繊維、又はこれらと同様の繊維のような、セルロース繊維を備える繊維状材料である。レーヨン繊維、ポリエチレン繊維、又はポリプロピレン繊維のような合成繊維は便宜的にセルロース繊維と混合することができ、拭き取り材１３６の強度及び耐摩耗性を増加させる。
【０１２０】
滑らかさ及び柔らかさに対する要求のゆえに、化学的工程によって生産されたセルロース繊維は機械的に生産されたセルロース繊維より好ましい。化学的工程によって生産されたセルロース繊維は、機械的工程によって生産されたセルロース繊維より小さい直径を有し、化学的に生産されたセルロース繊維は機械的工程によって生産されたセルロース繊維より細い。従って、化学的に生産されたセルロース繊維を備える拭き取り材１３６は、使用者の皮膚に対する、より大きな柔らかさと滑らかさとを有する。
【０１２１】
好適な拭き取り材１３６の例が特許文献７に記載されており、この拭き取り材１３６は合成繊維とセルロース繊維とを備えている。この特許によれば、拭き取り材１３６は５０〜７５％のセルロース繊維と２５〜５０％のポリエステル繊維を含むことができる。磨耗に対する高度の強度を与えるために、繊維は縒られ、長い合成繊維が短いセルロース繊維の効果的な補強材として作用している。また、材料は高度にリントフリー（ｌｉｎｔ−ｆｒｅｅ）である。また、拭き取り材１３６の強度をさらに高めるために、接着性を有する結合材が添加されてもよい。
【０１２２】
縒り及び乾燥の後、拭き取り材１３６は織られ、又は縮緬を寄せられ、材料の柔らかさ、嵩、及び織物の感触を増す。
【０１２３】
拭き取り材１３６として好適な材料の別の例が特許文献８に記載されている。この特許は、メルトブロー工程及び添加された繊維によって生産された熱可塑性のマイクロ繊維からなる相対的に重い中間層を有する、積層構造の不織材について記載している。積層体は、一方の側部に、大きな直径を有する実質的に連続的な熱可塑性の単繊維からなる低い基本重量を有している。他方の側部に、積層構造はマイクロ繊維の層を有している。記載された材料は、強靭であり、布の感触を有し、多数の異なる用途に使用することができるとされている。特許文献８によれば、表面層は積層体に高い強度と低い毛羽立ち難さを与える。異なる層の組み合わせは材料に良好な拭き取り特性を与える。積層体は、好ましくは熱及び圧力の適用によってともに結合され、個々の成分は好ましくは表面活性剤で処理され、材料の濡れ特性を改善される。好ましい組み合わせはセルロース繊維から好適に構成された添加された繊維と、スパンボンドポリプロピレンの表面層と、メルトブローンポリプロピレンの単繊維とすることのできるマイクロ繊維からなる多の表面層とを有する、メルトブローンポリプロピレンのマイクロ繊維の中間層からなる。好適な濡れ性改良剤の例は、エアロゾールＴＯ（Ａｅｒｏｓｏｌ  ＴＯ）、トリトンＸ−１００（Ｔｒｉｔｏｎ  Ｘ−１００）、及びトリトンＸＯ１０２（Ｔｒｉｔｏｎ  ＸＯ  １０２）である。
【０１２４】
合成繊維の方法による補強に加えて、化学薬品を加えて拭き取り剤１３６の強度を増すことが可能である。拭き取り剤の強度に関して、考慮しなければならないのは主に材料の濡れた状態での強度であり、乾燥した状態での強度はほとんどいかなる問題も生じさせない。
【０１２５】
ポリアミノアミドーエピクロロヒドリン（ＰＡＡＥ）は、本発明による拭き取り材１３６の強度を増す商業的に入手可能な化学薬品の例である。別の可能な化学薬品は、グリオキシレーテドポリアクリルアミド（Ｇ−ＰＡＭ）である。
【０１２６】
マイクロ繊維の混和物は、身体の方に向いた拭き取り材１３６の少なくとも表面上では、細い繊維が柔らかく細長いので、拭き取り材１３６の柔らかさと滑らかさとを増す。また、材料の耐磨耗性と濡れた状態での強度とは、マイクロ繊維の使用によって良い方向に影響される。
【０１２７】
細い繊維又は長繊維が拭き取り材１３６として意図されたマイクロ繊維に要求される特性を供給するために、繊維は１デニール未満、好ましくは０．５デニール以下の粗さを有しなければならない。円形状の断面に対して、及びもちろんポリマーの密度に依存して、１デニールは１０〜１１マイクロメータ程度の繊維の直径に相当し、０．５デニールはほぼ７〜８マイクロメータに相当する。
【０１２８】
また、拭き取り材１３６の柔らかさと滑らかさとを増す化学薬品／作用薬剤が存在する。柔らかさ及び滑らかさを増すための作用薬品は、物理的形状である、溶液からなる、懸濁液、クリーム状、ローション状、軟膏状、ペースト状、ジェル、泡状、エアゾール状、又は粒子としての固体相、フレーク状、繊維状、薄膜状、泡状、柔らかい玉状、棒状などとすることができる。クリーム状、ローション状、又は軟膏状は、拭き取り材１３６に対して好ましく適切であるが、上述したその他の形状もまた考えられる。柔らかさ及び滑らかさを増すための作用薬品は、例えば、脂質（脂肪、油、蝋）、溶剤（水を含む）、水溶性物質、表面活性作用薬剤（乳化剤、表面活性剤）、粘性体、調整剤、ｐＨ調整剤、予防剤、錯体作用薬品（例えばキレート）を含むことができる。
【０１２９】
脂質は通常、水に乳化し、いわゆる油−水乳化剤の形で、又は水が脂質層に乳化し、いわゆる水−油乳化剤の形で存在する。
【０１３０】
特許文献９は、拭き取り材１３６のために好適な他の化粧水について記載している。
【０１３１】
図２は、失禁症を患っている大人によって使用されることを意図された失禁ガードを示している。失禁ガード２０１は、使用中は使用者の方に向くようにされた側から図示されており、平面状に引き伸ばされた状態で示されている。
【０１３２】
図２に使用されている参照符号は、図１に対応する参照符号を、２００〜２９９の番号で示している。例えば、前端部は図１においては１２１の参照符号であり、図２では２２１の参照符号で示されている。
【０１３３】
失禁ガード２０１は本質的には砂時計状の形状であり、長さ方向の端辺２１２、２１３と、前部横方向端辺２１４及び後部横方向端辺２１５とを有する。また、失禁ガード２０１は、前端部２２１、後端部２２２、及び両端部２２１、２２２の間に配置された狭い股部分２２３を有する。
【０１３４】
失禁ガード２０１は、使用中は使用者の方に向くようにされている失禁ガード２０１の表面に亘って配置されている液体透過性のカバーシート２０２と、使用中は使用者から離れる方に向くようにされている失禁ガード２０１の表面に亘って配置されている裏当てシート１０４と、液体透過性のカバーシート２０２と裏当てシート２０４との間に封入されている吸収体２０６とを備えている。
【０１３５】
失禁ガード２０１を右半分と左半分とに分ける、長さ方向の対称線２３３が図２に示されており、これら２つの半分部分は対称線２３３の周りに対称に配置されている。
【０１３６】
また、横方向の線２３４が図２に示されている。横方向の線２３４は、失禁ガード２０１を前部と後部とに分け、線２３４から失禁ガード２０１の前部横方向端辺２１４までの距離は、失禁ガード２０１の全長の４０％を占め、線２３４から失禁ガード２０１の後部横方向端辺２１５までの距離は、失禁ガード２０１の全長の６０％を占めている。
【０１３７】
失禁ガード２０１の使用中には、横方向の線２３４の後ろの領域は、便のための収容領域２３５として機能する。
【０１３８】
弾性手段２０５は、吸収体２０６の外側であって、失禁ガード２０１の長さ方向に本質的に延びる失禁ガードの側部フラップ２０３の部分の中に配置されている。弾性手段２０５は脚部弾性材として機能し、長さ方向に延びる側部端辺２１２，２１３から液体及び排泄物が漏れ出るのを防ぐ目的を果たしている。
【０１３９】
後端部２２２には、２つの固着タブ２２６が、失禁ガード２０１を腰の周りに固定するために配置されている。使用中には、固着タブ２２６は、失禁ガード２０１の裏当てシート２０４に配置された特別の受け表面２２８に取り付けられた、固着タブ２２６の固定部材２２７によって、後端部２２２を前端部２２１に結合している。
【０１４０】
失禁ガード２０１は、汚れた皮膚から便を拭き取り／除去するために特別に配置された領域２３１を有している。この場合、この領域２３１は、失禁症の使用者の皮膚から便を拭き取り／除去するために適用された特別な拭き取り材２３６からなる材料部分２３２を備えている。
【０１４１】
拭き取り材２３６は、失禁ガード２０１の前端部２２１に配置され、液体透過性のカバーシート２０２の、使用中は使用者を支持するようにされた液体透過性のカバーシートの側に適用されている。
【０１４２】
材料部分２３２のコストを低く抑えるために、材料部分２３２は失禁ガード２０１の前部横方向端辺２１４までは延在しておらず、材料部分２３２の前部横方向端辺２３７は失禁ガード２０１の前部横方向端辺１４から距離を置いて位置している。このことは、失禁ガードの前部、すなわち便のための収容領域２３５を構成していない部分が、便を拭き取り／除去するために特に配置された十分に大きな領域２３１を生成することにはなんら問題の無いほど大きな表面を有しているので可能である。
【０１４３】
材料部分２３２が拭き取り材２３６として機能することを確実とするため、材料部分２３２は所定の最小の表面領域、すなわち失禁ガード２０１の長さ方向の延長部分及び失禁ガードの横方向の延長部分を有する必要がある。表面領域は、失禁ガード２０１が保持することを期待されている量の便を受け入れるのに十分であるような大きさでなければならない。
【０１４４】
他方、尿収容の特性を拭き取り特性と共存させることが簡単ではないので、拭き取り材２３２は、失禁ガードの尿のために設けられた中央の収容領域の中に延在するほど大きくてはいけない。
【０１４５】
失禁ガード２０１に対しては、材料部分２３２は、特定の大きさの失禁ガード２０１から期待される量の便を収容することが可能であるように、失禁ガードの長さ方向に、失禁ガード２０１の全長の２０％の最小延長部を有するべきであることがわかる。
【０１４６】
失禁ガード２０１の尿収容の領域との干渉を避けるために、材料部分２３２は、失禁ガード２０１の前部横方向端辺２１４からこの失禁ガード２０１の長さ方向へ失禁ガード２０１の全長の３０％以上延在しないことが都合がよい。
【０１４７】
失禁ガード２０１が、失禁ガードが７０ｃｍより短い全長である身長の低い失禁症の人のためを意図されているかどうか、又は身長の大きい失禁症の人のためを意図され、９０ｃｍを超える長さを持っているかどうかに関わらず、所定の限界が適用されることがわかる。
【０１４８】
失禁ガードの長さ方向の材料部分の最も好適な延長部は、オムツ１０１の全長の２５％である。失禁ガード２０１の長さ方向の材料部分２３２のこの延長部を有することによって、本質的に収集されるべき便の量の観点で、常に十分に大きな拭き取り表面が得られる。また、オムツの長さ方向のこの延長部を有する材料部分２３２は、失禁ガード２０１の尿収容の領域の外側に十分な余裕を持って配置することができ、尿を収容するという観点におけるオムツの特性が妥協されることは無い。図２の実施形態による材料部分２３２は、失禁ガード２０１の尿収容の領域の十分に外側に配置された後部横方向端辺２３８を有する。
【０１４９】
本発明の実施形態による材料部分２３２は、失禁ガード２０１の長さ方向の対称線の回りに対象に配置され、材料部分２３２は、失禁ガード２０１の横方向に２０ｃｍの幅を有している。
【０１５０】
代替的な実施形態においては、オムツ１０１の横方向に、材料部分が少なくとも１５ｃｍの、好ましくは少なくとも１８ｃｍの延長部を有することが考えられる。また、赤ちゃんのオムツ１０１に対して図１に示したのと同様に、材料部分２３２を失禁ガード２０１の前幅に亘って延在させることも可能である。
【０１５１】
材料部分２３２は、便宜上、液体透過性のカバーシート２０２に、糊付け、熱溶着、超音波溶着、又は同様の好適な方法で結合されている。結合は、材料部分の全表面に亘って、又は材料部分２３２の２以上の端辺に沿って行うことができる。
【０１５２】
材料の選択の観点では、材料部分２３２は、上述のオムツ１０１の便を拭き取り／除去するために設けられた材料部分１３２に対応するような同様の方法で構成される。
【０１５３】
また、本発明は、記述され図示された実施形態の全ての考え得る組み合わせを包含する。
【０１５４】
さらに、本発明は、上述され図示された実施形態に限られるものではなく、代わりに他の実施形態、特に特許請求の範囲に記載された発明の技術的範囲に含まれる他のタイプの吸収製品に適用できることは言うまでもない。
【図面の簡単な説明】
【０１５５】
【図１】本発明の第１の形態による、乳児のために意図された使い捨てのオムツを示している。
【図２】本発明の第２の実施形態による、介護を要する大人の使用者のためを意図された失禁ガードを示している。
【符号の説明】
【０１５６】
１０１・・・オムツ
１０２，２０２・・・カバーシート
１０４，２０４・・・裏当てシート
１０６，２０６・・・吸収体
１１４，２１４・・・前部横方向端辺、
１１５，２１５・・・後部横方向端辺
１３１，２３１・・・拭き取り領域
１３２，２３２・・・材料部分
１３４，２３４・・・横方向線
１３５，２３５・・・収容領域
１３６，２３６・・・拭き取り材
２０１・・・失禁ガード
【図１】
2007536984.tif 000003
【図２】
2007536984.tif 000004
【国際調査報告】
2007536984.tif 000005
2007536984.tif 000006
2007536984.tif 000007